(57)【要約】【課題】マスカラ等の液状化粧料の塗布容器において、液状化粧料のぼて付を解消する。【解決手段】液状化粧料塗布容器１が、軸体１１の一端に化粧料塗布体１２を有する塗布具１０と、液状化粧料が収容された容器本体２０とを備える。塗布具１０は容器本体２０の口部に着脱自在に装着される。容器本体２０内には、(a)中央部３２ａが容器本体２０の中心軸Ｌ側に突出した弓状バネ部材３２、(b)弓状バネ部材３２の下端に連続し、容器本体２０の中心軸Ｌ側の斜め下方に突出したしごき部材３３、及び(c)弓状バネ部材３２の中央部３２ａが容器本体２０の外周方向に押圧されることにより扁平化し、しごき部材３３が押し下げられたときに、しごき部材３３の先端部３３ａを容器本体２０の中心軸Ｌ側に向けるガイド面３０ａを有するガイド部材を有する。【選択図】図１
2010246723.tif 000002
【特許請求の範囲】
【請求項１】
軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出した弓状バネ部材、
(b)弓状バネ部材の下端に連続し、容器本体の中心軸側の斜め下方に突出したしごき部材、及び
(c)弓状バネ部材の中央部が容器本体の外周方向に押圧されることにより扁平化し、しごき部材が押し下げられたときにしごき部材の先端部を容器本体の中心軸側に向けるガイド面を有するガイド部材
を備えた液状化粧料塗布容器。
【請求項２】
弓状バネ部材としごき部材とが一体に成形されている請求項１記載の液状化粧料塗布容器。
【請求項３】
複数の弓状バネ部材が、容器本体の中心軸の周りに設けられている請求項１又は２記載の液状化粧料塗布容器。
【請求項４】
しごき部材の先端部が容器本体の中心側に移動したときに、しごき部材の側面同士が接触する請求項３記載の液状化粧料塗布容器。
【請求項５】
弓状バネ部材が、弾性材料で形成された請求項１〜４のいずれかに記載の液状化粧料塗布容器。
【発明の詳細な説明】
【技術分野】
【０００１】
本発明は、マスカラ、アイライナー、アイシャドー、リップグロス等の液状化粧料を塗
布する塗布具を備えた液状化粧料塗布容器に関する。
【背景技術】
【０００２】
従来、マスカラ、アイライナー、アイシャドー、リップグロス等の液状化粧料を塗布する化粧料塗布体を備えた液状化粧料塗布容器として、軸体の一端にブラシ、刷毛等の化粧料塗布体を備えた塗布具と、液状化粧料を収容した容器本体からなり、塗布具の化粧料塗布体を容器本体に挿入可能とし、塗布具が容器本体の口部の着脱自在なキャップともなる液状化粧料塗布容器が使用されている。
【０００３】
このような液状化粧料塗布容器においては、容器本体から塗布具を抜き出したときの化粧料塗布体に付着している液状化粧料の液量を調節するため、容器本体の口部内壁にゴムや熱可塑性弾性体で形成したしごき部材を周設することがなされている。しかしながら、容器本体の口部にしごき部材を設けると、塗布具の容器本体内への挿入時に容器本体内の圧力が増して塗布具が押し戻されるという所謂ポンピング現象が生じ、また、塗布具の抜き出し時には負圧により塗布具が抜きにくくなるという問題が生じる。そこで、容器本体の口部に設ける液量調節部材の化粧料塗布体との密着面に溝を形成することが提案されている（特許文献１）。
【０００４】
また、化粧料塗布体に付着した余分な液状化粧料を確実にしごくため、断面Ｕ字型のしごき部材と十字スリットの入ったしごき部材とを二重に設けること（特許文献２）や、ダイヤル式の絞りで液量調節部材の内寸を調節すること（特許文献３）が提案されている。
【先行技術文献】
【特許文献】
【０００５】
【特許文献１】特開2003-24135号公報
【特許文献２】特開2006-296824号公報
【特許文献３】特開2007-160116号公報
【発明の概要】
【発明が解決しようとする課題】
【０００６】
しかしながら、従来の液状化粧料塗布容器では、容器本体から引き抜いた化粧料塗布体における全体的な液状化粧料の付着量は調整できても、化粧料塗布体の下端部に過剰に付着した「ぼて付」と称される液状化粧料を除去することは困難である。
【０００７】
そのため、液状化粧料塗布容器の使用者は、容器本体から塗布具を引き抜いた後、容器本体の口部に化粧料塗布体を擦り付けて余分な液状化粧料を除去するなどしているが、容器本体の口部に化粧料塗布体を擦り付けると、口部が液状化粧料で汚れ、容器本体に塗布具を挿入してキャップを閉じようとしても、キャップが嵌り難くなったり、密封性が低下したりするという問題がある。
【０００８】
これに対し、本発明は、ぼて付を解消することのできる液状化粧料塗布容器を提供することを目的とする。
【課題を解決するための手段】
【０００９】
本発明者は、塗布具の容器本体内に、引き抜き動作により押圧されて伸長する弓状バネ部材を設けると共に、その弓状バネ部材の下端にしごき部材を連続させ、弓状バネ部材の伸長によりしごき部材の先端部が容器本体の中心軸側に移動するようにガイド部材を設けると、容器本体から塗布具を抜き出したときに化粧料塗布体から余分な液状化粧料を除去できると共に、化粧料塗布体の下端部のぼて付も解消できることを見出した。
【００１０】
即ち、本発明は、軸体の一端に化粧料塗布体を有する塗布具と、液状化粧料が収容された容器本体とを備え、化粧料塗布体が容器本体内に挿入され、塗布具が容器本体の口部に着脱自在に装着される液状化粧料塗布容器であって、
容器本体内に、
(a)中央部が容器本体の中心軸側に突出した弓状バネ部材、
(b)弓状バネ部材の下端に連続し、容器本体の中心軸側の斜め下方に突出したしごき部材、及び
(c)弓状バネ部材の中央部が容器本体の外周方向に押圧されることにより扁平化し、しごき部材が押し下げられたときにしごき部材の先端部を容器本体の中心軸側に向けるガイド面を有するガイド部材
を備えた液状化粧料塗布容器を提供する。
【発明の効果】
【００１１】
本発明の液状化粧料塗布容器によれば、容器本体から塗布具を引き抜くときに、塗布具は、まず、しごき部材でしごかれ、次いで、容器本体の中心軸側に突出している弓状バネ部材の中央部でもしごかれる。塗布具が弓状バネ部材の中央部でしごかれるとき、弓状バネ部材はその中央部が塗布具で外周方向に押圧されることにより扁平化し、弓状バネ部材の見かけの長さが伸長するので、弓状バネ部材の下端に連続しているしごき部材が押し下げられる。しごき部材は、押し下げられることによりガイド部のガイド面に案内され、ガイド部材の先端部が容器本体の中心軸側に移動する。したがって、弓状バネ部材の中央部が塗布具で容器本体の外周方向に押圧されている間に、弓状バネ部材の下端に連続するしごき部材の先端部で、塗布具の下端部に付着している液状化粧料のぼて付を払うことが可能となる。
【００１２】
また、弓状バネ部材の中央部が塗布具で外周方向に押圧されると、その中央部において、容器本体の内と外を連通させる間隙が広がるので、塗布具が容器本体内の負圧により引き抜きにくくなることもない。
【００１３】
さらに、弓状バネ部材の中央部で塗布具の軸体を拭うことも可能となり、塗布具の軸体が液状化粧料で汚れることを防止できる。
【図面の簡単な説明】
【００１４】
【図１】図１は液状化粧料塗布容器の断面図である。
【図２】図２は弓状バネ部材の斜視図である。
【図３】図３はガイド部材の切欠断面図である。
【図４】図４は弓状バネ部材とガイド部材の作用の説明図である。
【図５】図５はガイド部材の切欠断面図である。
【図６】図６は弓状ガイド部材の斜視図である。
【発明を実施するための形態】
【００１５】
以下、図面を参照しつつ本発明を具体的に説明する。なお、各図中、同一符号は同一又は同等の構成要素を表している。
【００１６】
図１は、本発明の一実施例の液状化粧料塗布容器１であって、塗布具１０が容器本体２０に挿入されている状態から、引き抜かれた状態までの各段階を示す断面図であり、図２は、液状化粧料塗布容器１で使用する弓状バネ部材３２の斜視図、図３は、液状化粧料塗布容器１で使用するガイド部材３０の切欠断面図、図４は、弓状バネ部材３２とガイド部材３０の作用の説明図である。
【００１７】
この液状化粧料塗布容器１は、軸体１１の一端に化粧料塗布体１２を有し、他端に把持部１３を有する塗布具１０と、マスカラ、アイライナー、アイシャドー、リップグロス等の液状化粧料Ａが収納された容器本体２０を備えている。
【００１８】
容器本体２０の口部には、概略筒状のガイド部材３０が取り付けられ、図３に示すように、ガイド部材３０の内周面の溝に環状部材３１が嵌合し、環状部材３１から複数個の弓状バネ部材３２が垂下している。
【００１９】
各弓状バネ部材３２は、容器本体２０に取り付けられた状態でその中央部３２ａが容器本体２０の中心軸Ｌ側に突出する弓状の短冊形状を有し、下端がしごき部材３３に連続している。
【００２０】
しごき部材３３は、容器本体２０に取り付けられた状態で、容器本体２０の中心軸Ｌ側の斜め下方に突出する形状となっている。
【００２１】
図２に示すように、環状部材３１と弓状バネ部材３２としごき部材３３は、弾性樹脂により一体に成型されている。そのため、図４に矢印で示すように弓状バネ部材３２の中央部３２ａを容器本体２０の外周方向に押圧すると、当初、同図（ａ）に示すように容器本体２０の中心軸Ｌ側に突出していた中央部３２ａが同図（ｂ）、（ｃ）に示すように扁平化し、その分、弓状バネ部材３２の見かけの長さが下方に伸長し、それによりしごき部材３３が押し下げられ、押圧を解除すると、弓状バネ部材３２の中央部３２ａは押圧前の突出した形状に戻る。
【００２２】
なお、本発明において、弓状バネ部材３２の設置態様としては、中央部３２ａを押圧したときに弓状バネ部材３２の見かけの長さが下方に伸張するように上端が固定されていればよく、弓状バネ部材３２と環状部材３１は一体に成型されていなくても良い。
【００２３】
また、短冊形状の弓状バネ部材３２は、好ましくは２〜４個を、例えば縦断面視左右対称、軸対称にし、あるいは容器本体２０の中心軸Ｌの周りに等角又は不等角に配置することができる。
【００２４】
さらに、伸縮性の弾性材料を使用する場合には、短冊形状に代えて円筒形状としてもよい。その場合にも、中央部３２ａは容器本体２０の中心軸Ｌ側に突出させる。このとき、肉厚を部分的に薄くしたり、スリットを設けるなどすると変形が容易になって好ましい。
【００２５】
また、弓状バネ部材３２の形成材料としては、脆弱な材料でなければ、金属、ゴムなどの弾性材料を使用してもよい。
【００２６】
ガイド部材３０は、その内面下端部に、容器本体２０の中心軸Ｌ側に突出したガイド面３０ａを有し、ガイド部材３０の下端の開口径は、化粧料塗布体１２の外径よりもやや小さく形成されている。ガイド面３０ａは、弓状バネ部材３２の中央部３２ａが容器本体２０の外周方向に押圧されることにより扁平化し、しごき部材３３がこのガイド面３０ａに摺接しつつ押し下げられたときに、しごき部材３３の先端部３３ａを容器本体２０の中心軸Ｌ側に向けさせる曲面を有している。したがって、図４（ｂ）、（ｃ）に示したように、しごき部材３３が押し下げられたときに、しごき部材３３の先端部３３ａはガイド面３０ａに沿って容器本体２０の中心軸Ｌ側に移動する。そして、容器本体２０内に設けられた複数のしごき部材３３がこのように移動することにより、複数のしごき部材３３の先端部３３ａで形成される孔径は狭まり、さらには同図（ｃ）に示すように、しごき部材３３の先端部３３ａ同士が重なり合うことも可能となる。
【００２７】
一方、塗布具１０は、容器本体２０の口部からその内部に挿入され、容器本体２０のキャップとなるように構成されており、容器本体２０の口部に着脱自在に装着される。
【００２８】
化粧料塗布体１２の種類としては、種々の態様をとることができ、例えば、植毛ブラシタイプ、成型ブラシタイプ、チップタイプ、刷毛タイプ、コームタイプ、コイルタイプ等とすることができる。また、化粧料塗布体１２の形状は、ストレート型、砲弾型、テーパー型、ピーナッツ型、タイコ型等とすることができ、さらに、化粧料塗布体１２自体にアール曲げ、角曲げ、中間曲げ等の曲げ加工が施されていても良い。
【００２９】
この液状化粧料塗布容器１は、塗布具１０の使用時に弓状バネ状部材３２としごき部材３３が次のように作用し、軸体１１や化粧料塗布体１２に付着した余分な液状化粧料を除去すると共に、化粧料塗布体１２の下端部１２ａにたまるぼて付を除去し、塗布具１０の使い勝手を向上させる。
【００３０】
即ち、図１（ａ）に示すように、塗布具１０が容器本体２０に装着されている状態から、同図（ｂ）に示すように塗布具１０を引き抜くと、化粧料塗布体１２が、ガイド部材３０の下端部としごき部材３３によってしごかれると共に、軸体１１が弓状バネ部材３２の中央部３２ａと摺接し、そこに付着していた余分な液状化粧料が除去される。同図（ｃ）に示すように、さらに塗布具１０を引き抜くと、化粧料塗布体１２は、弓状バネ部材３２の中央部３２ａによってもしごかれる。このとき、化粧料塗布体１２は弓状バネ部材３２の中央部３２ａを容器本体２０の外周方向に押圧するので、弓状バネ部材３２の中央部３２ａが扁平化し、しごき部材３３はガイド部材３０のガイド面３０ａに沿って押し下げられ、しごき部材３３の先端部３３ａが容器本体２０の中心軸Ｌ方向に移動する。そして、複数のしごき部材３３の先端部３３ａがこのように移動することにより、容器本体２０の中心軸Ｌで集まろうとする。したがって、同図（ｄ）に示すように、化粧料塗布体１２の下端がしごき部材３３の先端部３３ａを通過した直後にその経路がしごき部材３３の先端部３３ａで閉ざされることにより、化粧料塗布体１２の下端が払われる。よって、化粧料塗布体１２がそれまでにしごかれることにより、その下端にたまったぼて付を除去することができる。こうして、同図（ｅ）に示すように、容器本体２０から引き抜いた塗布具１０は、化粧料塗布体１２に適度に液状化粧料が付着し、ぼて付がなく、使い勝手が良好なものとなる。
【００３１】
また、図１（ｃ）に示すように、化粧料塗布体１２が弓状バネ部材３２の中央部３２ａを容器本体２０の外周方向に押圧して弓状バネ部材３２の中央部３２ａが扁平化すると、それにより、容器本体２０の内と外を連通させる間隙が広がるので、塗布具１０が容器本体２０内の負圧により引き抜きにくくなることがない。
【００３２】
本発明の液状化粧料塗布容器は種々の態様をとることができる。
例えば、図５に示すように、ガイド部材３０にはスリット３０ｂを入れても良い。これにより、塗布具１０を容器本体２０に挿入するときの抵抗を低減することができる。
【００３３】
また、図６に示すように、複数の弓状バネ部材３２の下端から丸棒状部材のしごき部材３３を斜め下方に突出させ、それら先端部３３ａが容器本体２０の中心軸Ｌ側に移動したときに、複数の先端部３３ａがそれらの側面で互いに接触して組み合うようにしてもよい。このしごき部材３３は、押し下げられることにより斜め下方にねじれるので、化粧料塗布体１２の全周をしごき部材３３の側面でしごくことが可能となる。
【産業上の利用可能性】
【００３４】
本発明は、マスカラ、アイライナー、アイシャドー、リップグロス等の種々の液状化粧
用の塗布容器として有用である。
【符号の説明】
【００３５】
１    液状化粧料塗布容器
１０    塗布具
１１    軸体
１２    化粧料塗布体
１２ａ  下端部
１３    把持部
２０    容器本体
３０    ガイド部材
３０ａ  ガイド面
３０ｂ  スリット
３１    環状部材
３２    弓状バネ部材
３２ａ  中央部
３３    しごき部材
３３ａ  先端部
Ａ    液状化粧料
Ｌ    容器本体の中心軸
【図１】
2010246723.tif 000003
【図２】
2010246723.tif 000004
【図３】
2010246723.tif 000005
【図４】
2010246723.tif 000006
【図５】
2010246723.tif 000007
【図６】
2010246723.tif 000008